(57)【要約】      （修正有）【課題】光送受信モジュールをケージに抜き差しする際に、光送受信モジュール本体の表面に傷が付かないようにするケージを提供する。【解決手段】ケージ１６は、光送受信モジュールを挿入するための差込口１８と、差込口１８に連通して光送受信モジュールをガイドする通路２４とを有する。差込口と通路２４の各々の内面に柔軟性部材２６を設ける。光送受信モジュールをケージ１６に抜き差しする際に、光送受信モジュール本体が柔軟性部材と接触して抜き差しされる構造のケージとする。【選択図】図２
2013156438.tif 000002
【特許請求の範囲】
【請求項１】
光送受信モジュールを挿入するための差込口と、
前記差込口に連通して前記光送受信モジュールをガイドする通路と、
前記通路の内面に設けられた柔軟性部材と、
を有することを特徴とする光送受信モジュール用ケージ。
【請求項２】
請求項１に記載された光送受信モジュール用ケージであって、
前記柔軟性部材は、樹脂シートであることを特徴とする光送受信モジュール用ケージ。
【請求項３】
請求項１に記載された光送受信モジュール用ケージであって、
前記柔軟性部材は、電磁波吸収シートであることを特徴とする光送受信モジュール用ケージ。
【請求項４】
請求項１に記載された光送受信モジュール用ケージであって、
前記柔軟性部材は、シリコンローラであることを特徴とする光送受信モジュール用ケージ。
【請求項５】
請求項４に記載された光送受信モジュール用ケージであって、
前記ローラは、前記光送受信モジュールが挿入される空間に対して突出及び退避できるように可動に設けられ、押圧力を以て突出するように支持されていることを特徴とする光送受信モジュール用ケージ。
【請求項６】
請求項１から５のいずれか１項に記載された光送受信モジュール用ケージであって、
前記光送受信モジュールは、電磁波の漏れを防ぐためのフィンガを有し、
前記柔軟性部材は、前記フィンガと対向する領域を避けて設けられていることを特徴とする光送受信モジュール用ケージ。
【請求項７】
請求項１から６のいずれか１項に記載された光送受信モジュール用ケージであって、
前記柔軟性部材は、前記光送受信モジュールが挿入される空間の鉛直方向の上側及び下側の少なくとも一方に位置するように設けられることを特徴とする光送受信モジュール用ケージ。
【発明の詳細な説明】
【技術分野】
【０００１】
本発明は、光送受信モジュール用ケージに関する。
【背景技術】
【０００２】
特許文献１には、ケージに容易に挿抜でき、光受信モジュールの上面に設けた銘板が傷付くのを防ぐことができ、銘板からゴミが発生するのを防ぐことができる挿抜用パッケージ及び光モジュール並びに伝送装置が開示されている。詳しくは、ホストカード等に設けられたケージに対して挿抜自在に設けられる光送受信モジュール等の挿抜用パッケージにおいて、パッケージ本体に、出没自在に摩擦低減部材を設けることが開示されている。
【先行技術文献】
【特許文献】
【０００３】
【特許文献１】特開２００６−１２６３４０号公報
【発明の概要】
【発明が解決しようとする課題】
【０００４】
従来、光送受信モジュールをケージに抜き差しする際に、モジュール本体の表面を傷つけてしまい、金属くずが発生する場合があった。金属くずは、回路のショート等を引き起こす懸念があり、傷がつかないような構造が必要である。
【０００５】
本発明は、光送受信モジュールの表面に傷が付かないようにすることを目的とする。
【課題を解決するための手段】
【０００６】
（１）本発明に係る光送受信モジュール用ケージは、光送受信モジュールを挿入するための差込口と、前記差込口に連通して前記光送受信モジュールをガイドする通路と、前記通路の内面に設けられた柔軟性部材と、を有することを特徴とする。本発明によれば、光送受信モジュールをガイドする通路の内面に柔軟性部材が設けられるので、光送受信モジュールの表面に傷が付かないようにすることができる。
【０００７】
（２）（１）に記載された光送受信モジュール用ケージであって、前記柔軟性部材は、樹脂シートであることを特徴としてもよい。
【０００８】
（３）（１）に記載された光送受信モジュール用ケージであって、前記柔軟性部材は、電磁波吸収シートであることを特徴としてもよい。
【０００９】
（４）（１）に記載された光送受信モジュール用ケージであって、前記柔軟性部材は、シリコンローラであることを特徴としてもよい。
【００１０】
（５）（４）に記載された光送受信モジュール用ケージであって、前記ローラは、前記光送受信モジュールが挿入される空間に対して突出及び退避できるように可動に設けられ、押圧力を以て突出するように支持されていることを特徴としてもよい。
【００１１】
（６）（１）から（５）のいずれか１項に記載された光送受信モジュール用ケージであって、前記光送受信モジュールは、電磁波の漏れを防ぐためのフィンガを有し、前記柔軟性部材は、前記フィンガと対向する領域を避けて設けられていることを特徴としてもよい。
【００１２】
（７）（１）から（６）のいずれか１項に記載された光送受信モジュール用ケージであって、前記柔軟性部材は、前記光送受信モジュールが挿入される空間の鉛直方向の上側及び下側の少なくとも一方に位置するように設けられることを特徴としてもよい。
【図面の簡単な説明】
【００１３】
【図１】光送受信モジュールを示す図である。
【図２】本発明の実施形態に係る光送受信モジュール用ケージを示す斜視図である。
【図３】本発明の実施形態に係る光送受信モジュール用ケージを示す分解斜視図である。
【図４】図２に示す光送受信モジュール用ケージのＩＶ−ＩＶ線断面図である。
【図５】図４の一点鎖線で囲む部分の拡大図である。
【図６】光送受信モジュールが挿入されたケージを示す断面図である。
【図７】図６の一点鎖線で囲む部分の拡大図である。
【図８】本発明の実施形態に係る光送受信モジュール用ケージの変形例を示す分解斜視図である。
【発明を実施するための形態】
【００１４】
以下、本発明の実施の形態について、図面を参照して説明する。
【００１５】
図１は、光送受信モジュールを示す図である。光送受信モジュール１０は、図示しない光電気デバイスを内蔵している。光電気デバイスは、光エネルギー及び電気エネルギーの一方を他方に変換するようになっている。光送受信モジュール１０は、ハウジング１２を有する。ハウジング１２は、図示しない光電気デバイス及び配線基板などを収納する。ハウジング１２は、金属などの導電体からなる。
【００１６】
光送受信モジュール１０は、電磁波の漏れを防ぐための複数のフィンガ１４を有する。フィンガ１４は、弾力性を確保するための長さを有する。隣同士のフィンガ１４の隙間は、電磁波が通過しない程度の微細なものである。
【００１７】
図２は、本発明の実施形態に係る光送受信モジュール用ケージを示す斜視図である。ケージ１６は、光送受信モジュール１０を挿入するための差込口１８を有する。
【００１８】
図３は、本発明の実施形態に係る光送受信モジュール用ケージを示す分解斜視図である。ケージ１６には、フロントパネル２０が設けられている。フロントパネル２０には図示しない開口が形成され、開口を囲むようにブラケット２２が外方向に突出している。差込口１８は、ブラケット２２によって囲まれた領域である。ケージ１６は、差込口１８に連通して光送受信モジュール１０をガイドする通路２４を有する。ブラケット２２の内面も通路２４の一部である。
【００１９】
図４は、図２に示す光送受信モジュール用ケージのＩＶ−ＩＶ線断面図である。図５は、図４の一点鎖線で囲む部分の拡大図である。
【００２０】
ケージ１６は、通路２４の内面に設けられた柔軟性部材２６を有する。柔軟性部材２６を設ける部位は少し薄くしておくことが好ましい。柔軟性部材２６は、例えば樹脂であり、耐熱性を有することが好ましい。通路２４の上面と底面に柔軟性部材２６が設けられている。柔軟性部材２６は、差込口１８から通路２４の奥行き方向に、少なくともフィンガ１４の幅に相当する長さの領域を避けた位置に配置されている。また、柔軟性部材２６は、フロントパネル２０が配置された位置よりも、通路２４の外側及び内側の両方に配置されている。すなわち、柔軟性部材２６は、ブラケット２２の内面に配置された柔軟性部材２６ａと、ブラケット２２よりも奥行き方向の位置に配置された柔軟性部材２６ｂと、を含む。
【００２１】
図６は、光送受信モジュール１０が挿入された光送受信モジュール用ケージを示す断面図である。図７は、図６の一点鎖線で囲む部分の拡大図である。
【００２２】
光送受信モジュール１０は、ケージ１６の通路２４にガイドされて挿入されると、通路２４の奥に取り付けられたコネクタ２８によって電気的に接続される。そして、光送受信モジュール１０をガイドする通路２４の内面に柔軟性部材２６が設けられているので、光送受信モジュール１０（ハウジング１２）の表面に傷が付かないようになっている。
【００２３】
柔軟性部材２６は、例えばシリコンローラである。シリコンローラは、光送受信モジュール１０が挿入される空間に対して突出及び退避できるように可動に設けられ、バネ３０による押圧力を以て突出するように支持されている。シリコンローラは光送受信モジュール１０が挿入された際の圧力抑制のため、上下に微動する。柔軟性部材２６は、光送受信モジュール１０が挿入される空間の鉛直方向の上側及び下側の少なくとも一方に位置する。なお、柔軟性部材２６は、フィンガ１４と対向する領域を避けて設けられている。
【００２４】
図８は、本発明の実施形態に係る光送受信モジュール用ケージの変形例を示す分解斜視図である。この例では、柔軟性部材１２６は、シートである。柔軟性部材１２６を設ける部位は少し薄くしておくことが好ましい。柔軟性部材１２６は、テフロン（登録商標）等の熱に強い樹脂から形成した樹脂シートであってもよいし、電磁波吸収シートであってもよい。電磁波吸収シートは電磁波を熱に変換するようになっている。電磁波吸収シートを用いることで、光送受信モジュール１０に傷が付くのを防ぐだけでなく、ケージ１６の内部から外への電磁波の漏れを防止することができる。
【００２５】
本発明は、上述した実施の形態に限定されるものではなく種々の変形が可能である。例えば、実施の形態で説明した構成は、実質的に同一の構成、同一の作用効果を奏する構成又は同一の目的を達成することができる構成で置き換えることができる。本発明は、ＣＦＰ（Ｃ  Ｆｏｒｍ−Ｆａｃｔｏｒ  Ｐｌｕｇｇａｂｌｅ）モジュールで用いられているレーリングシステムのケージに好適である。
【符号の説明】
【００２６】
１０  光送受信モジュール、１２  ハウジング、１４  フィンガ、１６  ケージ、１８  差込口、２０  フロントパネル、２２  ブラケット、２４  通路、２６  柔軟性部材、２８  コネクタ、３０  バネ、１２６  柔軟性部材。
【図１】
2013156438.tif 000003
【図２】
2013156438.tif 000004
【図３】
2013156438.tif 000005
【図４】
2013156438.tif 000006
【図５】
2013156438.tif 000007
【図６】
2013156438.tif 000008
【図７】
2013156438.tif 000009
【図８】
2013156438.tif 000010